(57)【要約】【課題】  表面に所望の文字やマーク等を安定的に印刷することができ、さらに外部から収容物の内容を視認によって容易に確認でき、袋から取り出すことなくバーコードを読みとることのできる緩衝袋を提供する。【解決手段】  内側に収容物を収容するための袋であって、前記袋の周面材の一部の領域に透明部を形成し、前記透明部を除いた周面材の他の領域に複数の空気室を形成したことを特徴とする緩衝袋であって、前記周面材を一対の対向する矩形状シートで形成し、一方のシートは透明性を有するシートで形成し（透明部）、他方のシートは複数の空気室を設けた緩衝性を有するシート（透明部を除いた周面材の他の領域）で形成した緩衝袋。【選択図】図１
0003177035.tif 000002
【実用新案登録請求の範囲】
【請求項１】
内側に収容物を収容するための袋であって、前記袋の周面材の一部の領域に透明部を形成し、前記透明部を除いた周面材の他の領域に複数の空気室を形成したことを特徴とする緩衝袋。
【請求項２】
前記複数の空気室は、周面材の外側面から突出するように形成されたことを特徴とする緩衝袋。
【請求項３】
前記緩衝袋を吊り下げるための挿通孔を有することを特徴とする請求項１〜２に記載の緩衝袋。
【請求項４】
前記周面材を一対の対向する矩形状シートで形成し、一方のシートは透明性を有するシートで形成し、他方のシートは複数の空気室を設けた緩衝性を有するシートで形成したことを特徴とする請求項１〜３に記載の緩衝袋。
【請求項５】
請求項４に記載された緩衝袋を複数梱包する方法であって、一の緩衝袋における透明性を有するシートと他の緩衝袋における空気室を設けた緩衝性を有するシートとが対面接触する態様で、梱包箱内部に配置してあることを特徴とする梱包方法。
【考案の詳細な説明】
【技術分野】
【０００１】
この発明は、複数の空気室を有する緩衝シートにより形成される緩衝袋、およびこれを用いた梱包方法に関する。
【背景技術】
【０００２】
従来の緩衝袋は、その袋全体に複数の空気室が設けられており（例えば、特許文献１、図３のように、袋を形成する一対のシートの両方に複数の空気室が形成されている。）、その袋の内方に、例えば携帯電話や精密機器その他の強い衝撃を受けることが好ましくない収容物を収容するものであった。
【０００３】
しかし、上記のような従来の緩衝袋では、例えば空気室を袋の外向きに設けた（特許文献１、図３のように、シートの外側表面に空気室を設け、その先端が外側方向を向くように設けた）場合には、該空気室の突起が障害となって、緩衝袋の表面に所望の文字やマーク等を印刷できないという問題点があった。
【０００４】
かかる問題点を克服するため、例えば空気室を袋の内向きに設けたり（シートの内側表面に空気室を設け、その先端が内側方向を向くように設けたり）、あるいは袋の外側に設けた空気室のうえから、更に平面のシートをラミネートしたりする等の方法も存在した（特許文献１、図２参照）。
【０００５】
しかし、かかる方法を用いたとしても、所望の文字やマーク等を印刷しようとする面の裏側に、空気室によって形成される凹凸が存在することは変わりなく、文字やマーク等を綺麗に安定的に印刷することはやはり困難であった。
【０００６】
また、緩衝袋に設けられている空気室は透視性が悪いため、該空気室を袋全面にわたって設けている従来の緩衝袋では、収容物を外部から確認し難いという問題点があった。
【０００７】
また、バーコードを付された収容物が緩衝袋に収納されている場合、空気室が障害となって、収容物を緩衝袋に入れたままでは該バーコードを読みとることができず、バーコードを読みとるためには、収容物を緩衝袋から取り出さなければならないという問題点があった。
【０００８】
さらに、収容物を収容した複数の緩衝袋を梱包箱等に梱包する場合、従来の緩衝袋によっては、袋全体に空気室が設けられているため（袋を形成する一対のシートの両方に複数の空気室が形成されているため）、複数の緩衝袋の空気室同士が重なり合うことによってかさばるため、梱包箱に多くの物品を（即ち「収容物を収容した緩衝袋」の多くを）梱包することができず、輸送コスト等がかさむという問題点があった。
【先行技術文献】
【特許文献】
【０００９】
【特許文献１】実用新案登録第３００７０９２号公報
【考案の概要】
【考案が解決しようとする課題】
【００１０】
そこで本発明では、表面に所望の文字やマーク等を安定的に印刷することができ、さらに外部から収容物の内容を視認によって容易に確認でき、袋から取り出すことなくバーコードを読みとることのできる緩衝袋を提供することを課題とする。
【００１１】
また、梱包箱のなかに梱包してもかさばることなく、多くの物品を梱包可能として、輸送コストを軽減できる梱包方法を提供することを課題とする。
【課題を解決するための手段】
【００１２】
本発明における緩衝袋は、内側に収容物を収容するための袋であって、前記袋の周面材の一部の領域に透明部を形成し、前記透明部を除いた周面材の他の領域に複数の空気室を形成したことを特徴とする緩衝袋である（請求項１）。
【００１３】
また、前記複数の空気室は、周面材の外側面から突出するように形成されたことを特徴とする緩衝袋である（請求項２）。
【００１４】
前記袋を吊り下げるための挿通孔を有することを特徴とする請求項１〜２に記載の緩衝袋である（請求項３）。
【００１５】
前記周面材を一対の対向する矩形状シートで形成し、一方のシートは透明性を有するシートで形成し（「透明部」に相当）、他方のシートは複数の空気室を設けた緩衝性を有するシート（「透明部を除いた周面材の他の領域に複数の空気室を形成した」に相当）で形成したことを特徴とする請求項１〜３に記載の緩衝袋である（請求項４）。
【００１６】
また、請求項４に記載された緩衝袋の複数を梱包する方法であって、一の緩衝袋における透明性を有するシートと他の緩衝袋における複数の空気室を設けた緩衝性を有するシートとが対面接触する態様で、梱包箱内部に配置してあることを特徴とする梱包方法である（請求項５）。
【考案の効果】
【００１７】
本発明は上記の構成により、空気室が形成されない領域に文字やマーク等を綺麗に安定的に印刷することができ、さらに外部から収容物を確認し易く、袋から取り出すことなくバーコードを読みとることができる。
【図面の簡単な説明】
【００１８】
【図１】本発明に係る緩衝袋の一実施形態を示す外観斜視図
【図２】緩衝袋内に折り畳み式携帯電話を収納した図
【図３】空気室が袋の内側を向くように形成された緩衝袋に折り畳み式携帯電話を収納した場合の断面図
【図４】空気室が袋の外側を向くように形成された緩衝袋に折り畳み式携帯電話を収納した場合の断面図
【図５】本発明に係る緩衝袋内に折り畳み式携帯電話を収納し、梱包箱に上下方向に積み重ねることにより梱包した場合の断面図
【図６】本発明に係る緩衝袋内に折り畳み式携帯電話を収納し、梱包箱に左右方向に並べることにより梱包した場合の断面図
【図７】本発明に係る緩衝袋について、緩衝袋を形成するシートの開口部方向に突出した部分に挿通孔を設け、該挿通孔に商品を吊り下げるためのフックを通した図
【図８】従来の緩衝袋に折り畳み式携帯電話を収納し、梱包箱に上下方向に積み重ねることにより梱包した場合の断面図
【考案を実施するための形態】
【００１９】
以下、図１〜図８に基づいて本発明に係る緩衝袋Ｂの実施形態を説明する。図１は本発明に係る緩衝袋Ｂの一実施形態を示す外観斜視図、図２は該緩衝袋Ｂ内に折り畳み式携帯電話Ｔを収容した図、図３は複数の空気室１２が袋の周面材の内側面に形成された緩衝袋Ｂに折り畳み式携帯電話Ｔを収納した状態を示す断面図、図４は複数の空気室１２が袋Ｂの周面材１１の外側面に形成された緩衝袋Ｂに折り畳み式携帯電話Ｔを収容した状態を示す断面図、図５は本発明に係る緩衝袋Ｂ内に折り畳み式携帯電話Ｔを収容し、梱包箱Ｐに上下方向に積み重ねることにより梱包した状態を示す断面図、図６は本発明に係る緩衝袋Ｂ内に折り畳み式携帯電話Ｔを収容し、梱包箱Ｐに左右方向に並べることにより梱包した場合の断面図、図７は本発明に係る緩衝袋Ｂについて、緩衝袋Ｂを形成するシートの開口部方向に突出した延在部に挿通孔Ｈを設け、吊り下げるためのフックＦを通した図である。図８は従来の緩衝袋に折り畳み式携帯電話を収容し、梱包箱に上下方向に積み重ねることにより梱包した場合の断面図である。
【００２０】
図１には、内側に収容物を収容するための開口を有する袋であって、前記袋の周面材（袋体を構成する構成材）の一部の領域に透明部を形成し、前記透明部を除いた周面材の他の領域に複数の空気室を形成したことを特徴とする緩衝袋を示している。
【００２１】
周面材は、可撓性を有する合成樹脂製の一対の矩形状シート１０、１１からなり、両シート１０、１１を対向させ、周縁の一部を溶着によって密着し、開口を有する袋を形成するものである。一対のシート１０、１１のうち、一方のシート１０は透視性を阻害する空気室１２を設けない透明性を有するシート１０で形成し（本願発明の「透明部」に相当）、他方のシート１１は、該シート１１にのみ複数の空気室１２を設けて緩衝性を有するシート１１で形成される（本願発明の「透明部を除いた周面材の他の領域に複数の空気室を形成した」構成に相当）。
【００２２】
他方のシート１１に設けられた複数の空気室１２は、各々突状に形成されており、周面材の内側面から袋の内側方向に突出するように配されている。
【００２３】
このような構成により、透明性を有するシート１０（シート１０の外側面又は内側面）に所望の文字やマーク等を安定的に印刷することができる。また、透明性を有するシート１０では、空気室１２による透視性の悪化が生じないため、外部から収納物を容易に確認することができる。
【００２４】
なお、複数の空気室１２を設けた緩衝性を有するシート１１は、素材自体が透明であっても、収容物をはっきりと視認することができない。この意味において複数の空気室を形成した領域は、本願発明にいう「透明部（ないし透視部）」には相当しない。
【００２５】
なお、緩衝袋の開口は、粘着テープ等の任意の手段によって閉じることができる。
【００２６】
収容物に貼付されたバーコードＣが、複数の空気室１２を有さない透明性を有するシート１０側を向くように収容物を収容すれば、収容物を緩衝袋から取り出すことなくバーコードを読みとることが可能となる。
【００２７】
なお、図２ではバーコードを有する折り畳み式携帯電話Ｔを収納しているが、必ずしもバーコードＣを有する製品である必要はなく、また、折り畳み式携帯電話Ｔ以外のいかなる物品を収納することとしてもよい。
【００２８】
なお、複数の空気室１２は、図３に示すように、袋Ｂの内側（内方）を向くように形成しているが（周面材の内側面を基端として、先端が袋の内側方向を向くように形成しているが）、図４に示すように、袋Ｂの外側を向くように形成することも可能である（周面材の外側面を基端として、先端が外側方向に向くように形成することも可能である）。このようにすれば、空気室１２が袋の内側を向いているのに比べて、袋内部の空間を広くとれるので、物品の出し入れを容易にすることが可能となる。
【００２９】
また、複数の緩衝袋Ｂに物品を収容し、複数の緩衝袋Ｂを梱包箱Ｐに梱包する場合は、図５に示すように、上下方向に隣り合う緩衝袋Ｂ１、Ｂ２について、一の緩衝袋Ｂ１における透明性を有するシート１０と他の緩衝袋Ｂ２における空気室を設けた緩衝性を有するシート１１とが対面接触する態様で、梱包箱Ｐ内部に配置することができる。開閉自在の開口を有する箱体の底面（梱包箱内方の内側底面）に対して一の緩衝袋Ｂ１における緩衝性を有するシート１１が対面接触させると共に、一の緩衝袋Ｂ１の上方に他の緩衝袋Ｂ２を積み重ねるが、その際、一の緩衝袋Ｂ１における透明性を有するシート１０と他の緩衝袋Ｂ２における空気室を設けた緩衝性を有するシート１１とが対面接触する態様で積み重ねるのである。
【００３０】
この梱包方法によれば、可及的に多くの収容物を空気室によって上下方向から挟み込んで保護することができ、また、図８に示すような従来の緩衝袋（周面材の全面（袋を構成する一対のシートの両方）に複数の空気袋を設けた袋）を積み重ねて梱包する方法に比べて、空気室によって形成される袋自体の厚みが小さくなることから、梱包箱により多くの数量を収納することができか、または、より小さな梱包箱を用いることができるようになる。よって、輸送コストを軽減することができる。
【００３１】
なお、前記のように上下方向に積み重ねた緩衝袋群を複数列にして梱包箱Ｐ内に梱包する。
【００３２】
また、梱包箱Ｐの底面に位置する一の緩衝袋Ｂ１の緩衝性を有するシート１１が接触し、梱包箱Ｐ最上位に位置する他の緩衝袋Ｂ３（上下方向に積み重ねた緩衝袋の一番上のもの）の透明性を有するシート１０が梱包箱Ｐの上蓋（図示しない）方向（梱包箱の上部開口方向）を向くように梱包すれば、梱包箱Ｐの上蓋を開いた際、緩衝袋を開かなくても、収納物の内容を容易に確認することができる。
【００３３】
また、図３や図８に示すように、収容物の横幅（又は／及び縦幅）よりも、矩形状シートの横幅（又は／及び縦幅）を大きくすることによって、矩形状シートの端部に設けられた空気室によって収納物を包み込むように保護することができる。すなわち、例えば図３のように、緩衝袋を構成する矩形状シートの横幅を、収容物Ｔの横幅よりも大きくすると、シートの横幅方向の両端部に位置する複数の空気室が、収容物の側面部に対向する態様になるため、収納物を包み込むように保護することができる。
【００３４】
また、図６に示すように、本発明に係る緩衝袋を左右方向に並べて梱包することもできる。
【００３５】
また、図７に示すように緩衝袋Ｂを形成するシート１１の開口部方向に突出した矩形状の延在部１３を形成し、該延在部１３に挿通孔Ｈを設けることもできる。なお、図７では、緩衝性を有するシート１１に延在部１３を形成して挿通孔Ｈを設けているが、空気室を有さない透明性を有するシート１０に延在部を設けて挿通孔を設けることもできる。
【００３６】
なお、特に延在部を形成することなく、緩衝性を有するシートと透明性を有するシートの双方の重なり合う位置に、両シートを貫通するように挿通孔を設けることもできる。
【００３７】
また、図７では円形の挿通孔をひとつ設けているが、商品を吊り下げるフックの形状にあわせて、該挿通孔を複数（例えばふたつ）の穴とすることも、横に広い楕円形とすることも可能である。このようにすれば、商品等を吊り下げるためのフックを該挿通孔に通すことにより、物品を緩衝袋に入れたまま、当該物品を店頭等に展示することが可能となる。
【００３８】
さらに、透明性を有するシート１０を備えることにより、物品の展示に際して緩衝袋の表面に色を付けたり、宣伝文句を印刷したりする等の宣伝効果を期待することが可能となり、また購入者も緩衝袋に入ったまま物品の内容を確認したり、物品の精算に際して物品を緩衝袋に入れたままバーコードを読みとることが可能となる。
【符号の説明】
【００３９】
Ｂ 緩衝袋
１０ 周面材（透明性を有するシート）
１１ 周面材（緩衝性を有するシート）
１２ 空気室
【図１】
0003177035.tif 000003
【図２】
0003177035.tif 000004
【図３】
0003177035.tif 000005
【図４】
0003177035.tif 000006
【図５】
0003177035.tif 000007
【図６】
0003177035.tif 000008
【図７】
0003177035.tif 000009
【図８】
0003177035.tif 000010
【手続補正書】
【提出日】平成24年5月14日(2012.5.14)
【手続補正１】
【補正対象書類名】実用新案登録請求の範囲
【補正対象項目名】全文
【補正方法】変更
【補正の内容】
【実用新案登録請求の範囲】
【請求項１】
内側に収容物を収容するための袋であって、前記袋の周面材の一部の領域に透明部を形成し、前記透明部を除いた周面材の他の領域に複数の空気室を形成したことを特徴とする緩衝袋。
【請求項２】
前記複数の空気室は、周面材の外側面から突出するように形成されたことを特徴とする請求項１に記載の緩衝袋。
【請求項３】
前記緩衝袋を吊り下げるための挿通孔を有することを特徴とする請求項１又は請求項２に記載の緩衝袋。
【請求項４】
前記周面材を一対の対向する矩形状シートで形成し、一方のシートは透明性を有するシートで形成し、他方のシートは複数の空気室を設けた緩衝性を有するシートで形成したことを特徴とする請求項１から請求項３のいずれかに記載の緩衝袋。